(57)【特許請求の範囲】
【請求項１】
木造建築物の壁固定部に壁パネルおよび天井パネルを取り付けるための見切縁材であって、
前記壁固定部に固定するための見切縁用取付部と、
前記見切縁用取付部に突出して設けられ、前記見切縁用取付部との間で壁パネルの上端を保持可能な壁上端保持部と、
前記見切縁用取付部から突出して前記壁上端保持部との間に天井パネルを挟める間隙をあけて設けられ、挟んだ天井パネルの一端を前記壁上端保持部との間で弾力的に保持可能な天井一端保持部とを、
有することを特徴とする見切縁材。
【請求項２】
木造建築物の壁固定部に壁パネルおよび天井パネルを取り付けるためのパネル取付部材であって、
請求項１記載の見切縁材と、壁パネル取付部材とを有し、
前記壁パネル取付部材は、
前記壁固定部に固定するための壁用取付部と、
水抜き孔を有し、前記壁用取付部に突出して設けられ、前記壁用取付部との間で壁パネルの下端を保持可能な壁下端保持部とを、
有することを特徴とするパネル取付部材。
【請求項３】
木造建築物の壁固定部および垂木に天井パネルを取り付けるための天井パネル取付部材であって、
請求項１記載の見切縁材と、天井パネル保持部材とを有し、
前記天井パネル保持部材は、
前記見切縁材と対向して前記垂木に固定するためのパネル保持用取付部と、
前記パネル保持用取付部に突出して設けられ、前記見切縁材と対向する側で天井パネルの他端を支持可能なパネル支持部と、
前記パネル保持用取付部から突出して前記パネル支持部との間に天井パネルを挟める間隙をあけて設けられ、挟んだ天井パネルの他端を前記パネル支持部との間で弾力的に保持可能な天井他端保持部とを、
有することを特徴とする天井パネル取付部材。
【請求項４】
木造建築物の壁固定部に壁パネルが取り付けられた壁構造であって、
請求項２記載のパネル取付部材を有し、
前記見切縁材の見切縁用取付部が前記壁固定部に固定され、前記見切縁用取付部と前記壁上端保持部との間で壁パネルの上端が保持され、
前記パネル取付部材の壁用取付部が前記見切縁材の下方で前記壁固定部に固定され、前記壁下端保持部が前記壁パネルの下端を保持しており、
前記壁パネルと前記壁上端保持部との間に、前記壁パネルを上方に移動させて前記壁下端保持部からその下端を外すことにより前記壁パネルを前記見切縁材および前記パネル取付部材から取外し可能な間隙が設けられていることを、
特徴とする壁構造。
【請求項５】
木造建築物の壁固定部および垂木に天井パネルが取り付けられた天井構造であって、
請求項３記載の天井パネル取付部材を有し、
前記見切縁材の見切縁用取付部が前記壁固定部に固定され、前記見切縁用取付部と前記壁上端保持部との間で壁パネルの上端が保持され、前記壁上端保持部と前記天井一端保持部との間で天井パネルの一端が弾力的に保持され、
前記天井パネル保持部材のパネル保持用取付部が前記見切縁材と対向して前記垂木に固定され、前記パネル支持部が前記見切縁材と対向する側で前記天井パネルの他端を支持し、前記パネル支持部と前記天井他端保持部との間で前記天井パネルの前記他端が弾力的に保持されていることを、
特徴とする天井構造。
【発明の詳細な説明】
【０００１】
【発明の属する技術分野】
本発明は、木造建築物の壁固定部に壁パネルおよび天井パネルを取り付けるための見切縁材、その見切縁材を用いた壁構造および天井構造に関する。
【０００２】
【従来の技術】
従来の見切縁材としては、壁固定部に固定されて天井パネルおよび壁パネルを支持し固定するのに使用されるものがある。
【０００３】
【発明が解決しようとする課題】
しかしながら、従来の技術では、天井パネルおよび壁パネルは釘を用いて固定され、端部にコーキングが設けられているため、老化した建物を解体する場合には解体しにくく、また、天井パネルや壁パネルのみを交換しようとする場合には交換に手間がかかるという問題点があった。
【０００４】
本発明は、このような従来の問題点に着目してなされたもので、建物の解体および天井パネルや壁パネルの交換を容易にすることができる見切縁材、壁構造および天井構造を提供することを目的としている。
【０００５】
【課題を解決するための手段】
上記目的を達成するために、本発明に係る見切縁材は、木造建築物の壁固定部に壁パネルおよび天井パネルを取り付けるための見切縁材であって、前記壁固定部に固定するための見切縁用取付部と、前記見切縁用取付部に突出して設けられ、前記見切縁用取付部との間で壁パネルの上端を保持可能な壁上端保持部と、前記見切縁用取付部から突出して前記壁上端保持部との間に天井パネルを挟める間隙をあけて設けられ、挟んだ天井パネルの一端を前記壁上端保持部との間で弾力的に保持可能な天井一端保持部とを、有することを特徴とする。壁上端保持部は、Ｌ字状の断面を有し、先端内側に壁パネルを弾力的に押さえるための付勢部材を有することが好ましい。見切縁用取付部には、壁上端保持部および天井一端保持部の突出する側に、天井パネルの一端を外側に付勢可能なバネが設けられていてもよい。なお、本明細書中で、「壁」の概念には「外壁」および「内壁」を含む。また、本明細書中で、「天井」の概念には「室内天井」および「軒天」を含む。壁パネルは、外壁パネルであっても、内壁パネルであってもよいが、特に外壁パネルに適している。天井パネルは、室内天井パネルであっても、軒天パネルであってもよいが、特に軒天パネルに適している。
【０００６】
本発明に係る見切縁材は、壁パネルの上端と天井パネルの一端とをともに保持することができる。天井パネルの一端は、天井一端保持部と壁上端保持部との間で弾力的に保持されるため、ずれにくくかつ取外しが容易である。このため、建物の軒部分の解体や天井パネルの交換を容易にすることができる。なお、見切縁材は、外壁パネルおよび軒天パネルを取り付けるために用いられても、内壁パネルおよび室内天井パネルを取り付けるために用いられてもよい。
【０００７】
本発明に係るパネル取付部材は、木造建築物の壁固定部に壁パネルおよび天井パネルを取り付けるためのパネル取付部材であって、前述の見切縁材と、壁パネル取付部材とを有し、前記壁パネル取付部材は、前記壁固定部に固定するための壁用取付部と、水抜き孔を有し、前記壁用取付部に突出して設けられ、前記壁用取付部との間で壁パネルの下端を保持可能な壁下端保持部とを、有することを特徴とする。壁下端保持部は、Ｌ字状の断面を有することが好ましい。壁パネル取付部材は、外壁パネルを取り付けるために用いられても、内壁パネルを取り付けるために用いられてもよい。
【０００８】
本発明に係る天井パネル取付部材は、木造建築物の壁固定部および垂木に天井パネルを取り付けるための天井パネル取付部材であって、前述の見切縁材と、天井パネル保持部材とを有し、前記天井パネル保持部材は、前記見切縁材と対向して前記垂木に固定するためのパネル保持用取付部と、前記パネル保持用取付部に突出して設けられ、前記見切縁材と対向する側で天井パネルの他端を支持可能なパネル支持部と、前記パネル保持用取付部から突出して前記パネル支持部との間に天井パネルを挟める間隙をあけて設けられ、挟んだ天井パネルの他端を前記パネル支持部との間で弾力的に保持可能な天井他端保持部とを、有することを特徴とする。天井パネル保持部材は、軒天パネルを取り付けるために用いられても、室内天井パネルを取り付けるために用いられてもよい。パネル保持用取付部は、破風下地材などの部材を介して垂木に固定されてもよい。
【０００９】
本発明に係る壁構造は、木造建築物の壁固定部に壁パネルが取り付けられた壁構造であって、前述のパネル取付部材を有し、前記見切縁材の見切縁用取付部が前記壁固定部に固定され、前記見切縁用取付部と前記壁上端保持部との間で壁パネルの上端が保持され、前記パネル取付部材の壁用取付部が前記見切縁材の下方で前記壁固定部に固定され、前記壁下端保持部が前記壁パネルの下端を保持しており、前記壁パネルと前記壁上端保持部との間に、前記壁パネルを上方に移動させて前記壁下端保持部からその下端を外すことにより前記壁パネルを前記見切縁材および前記パネル取付部材から取外し可能な間隙が設けられていることを、特徴とする。
【００１０】
本発明に係る壁構造は、壁パネルが取外し可能に取り付けられるため、建物の壁部分の解体や壁パネルの交換を容易にすることができる。
【００１１】
本発明に係る天井構造は、木造建築物の壁固定部および垂木に天井パネルが取り付けられた天井構造であって、前述の天井パネル取付部材を有し、前記見切縁材の見切縁用取付部が前記壁固定部に固定され、前記見切縁用取付部と前記壁上端保持部との間で壁パネルの上端が保持され、前記壁上端保持部と前記天井一端保持部との間で天井パネルの一端が弾力的に保持され、前記天井パネル保持部材のパネル保持用取付部が前記見切縁材と対向して前記垂木に固定され、前記パネル支持部が前記見切縁材と対向する側で前記天井パネルの他端を支持し、前記パネル支持部と前記天井他端保持部との間で前記天井パネルの前記他端が弾力的に保持されていることを、特徴とする。
【００１２】
本発明に係る天井構造は、見切縁材および天井パネル保持部材により天井パネルが弾力的に保持されるため、ずれにくくかつ取外しが容易である。また、天井パネルが取外し可能に取り付けられるため、建物の軒部分の解体や天井パネルの交換を容易にすることができる。
【００１３】
【発明の実施の形態】
以下、図面に基づき本発明の実施の形態について説明する。
図１および図２は、本発明の実施の形態を示している。
図１および図２に示すように、木造建築物の外壁構造（壁構造）が壁固定部１に壁パネル２を取り付けて構成され、木造建築物の軒天構造（天井構造）が壁固定部１および垂木３に天井パネル４を取り付けて構成される。壁固定部１は、胴縁から成る。
【００１４】
壁構造は、パネル取付部材を有する。パネル取付部材は、木造建築物の壁固定部１に壁パネル２および天井パネル４を取り付けるための部材である。図１に示すように、パネル取付部材は、見切縁材１０と壁パネル取付部材２０とを有する。天井構造は、天井パネル取付部材を有する。天井パネル取付部材は、木造建築物の壁固定部１および垂木３に天井パネル４を取り付けるための部材である。図１および図２に示すように、天井パネル取付部材は、見切縁材１０と天井パネル保持部材３０とを有する。見切縁材１０は、パネル取付部材と天井パネル取付部材とで共用される。
【００１５】
見切縁材１０は、見切縁用取付部１１と壁上端保持部１２と天井一端保持部１３とを一体的に有する。見切縁用取付部１１は、細長い板状であって、釘で壁固定部１に固定するための取付孔１１ａを有する。壁上端保持部１２は、天井支持部１２ａと壁保持部１２ｂとから一体的に成り、Ｌ字状の断面を有する。天井支持部１２ａは、細長い板状であって、見切縁用取付部１１にその長さ方向にわたって垂直に突出して設けられる。
【００１６】
壁保持部１２ｂは、細長い板状であって、見切縁用取付部１１の先端にその長さ方向にわたって垂直に設けられる。壁保持部１２ｂの先端には、内側に付勢部材１４が設けられている。付勢部材１４は、ヒレ状のゴム材から成り、壁パネル２を気密的かつ弾力的に押さえられるようになっている。壁上端保持部１２は、壁保持部１２ｂと見切縁用取付部１１との間で壁パネル２の上端２ａを保持可能である。
【００１７】
天井一端保持部１３は、見切縁用取付部１１から天井支持部１２ａと同じ側に垂直に突出して設けられている。天井一端保持部１３は、天井支持部１２ａとの間に天井パネル４を挟める間隙をあけて設けられる。天井一端保持部１３は、弾性を有し、挟んだ天井パネル４の一端４ａを壁上端保持部１２との間で弾力的に保持可能である。天井一端保持部１３は、天井パネル４を挟み込みやすくするため：先端側１３ａが反り返っている。
【００１８】
見切縁材１０は、壁パネル２の上端２ａと天井パネル４の一端４ａとをともに保持することができる。天井パネル４の一端４ａは、天井一端保持部１３と壁上端保持部１２との間で弾力的に保持されるため、ずれにくくかつ取外しが容易である。このため、建物の軒部分の解体や天井パネル４の交換を容易にすることができる。
【００１９】
壁パネル取付部材２０は、壁用取付部２１と壁下端保持部２２とを一体的に有する。壁用取付部２１は、細長い板状であって、釘で壁固定部１に固定するための取付孔２１ａを有する。壁下端保持部２２は、壁支持部２２ａと壁押さえ部２２ｂとから一体的に成り、Ｌ字状の断面を有する。壁支持部２２ａは、細長い板状であって、壁用取付部２１にその長さ方向にわたって垂直に突出して設けられる。壁支持部２２ａは、水抜き孔２２ｃを有している。
【００２０】
壁押さえ部２２ｂは、細長い板状であって、壁用取付部２１の先端にその長さ方向にわたって垂直に設けられる。壁押さえ部２２ｂの先端は、内側に厚く突出している。壁用取付部２１および壁押さえ部２２ｂは、壁支持部２２ａの端部の反対側まで伸びて脚部２３を形成し、壁支持部２２ａを設置箇所から浮かすようになっている。壁下端保持部２２は、壁用取付部２１との間で壁パネル２の下端２ｂを保持可能である。壁用取付部２１は、脚部２３となる端部から垂直に壁支持部２２ａの反対側に折れ曲がっている。壁用取付部２１は、その折れ曲がった部分２１ｂに換気孔２１ｃを有している。
【００２１】
図２に示すように、天井パネル保持部材３０は、パネル保持用取付部３１とパネル支持部３２と天井他端保持部３３とを一体的に有する。垂木３には、破風下地材３ａが固定されている。パネル保持用取付部３１は、細長い板状であって、見切縁材１０と対向して破風下地材３ａに釘で固定するようになっている。これにより、パネル保持用取付部３１は、垂木３に固定される。パネル支持部３２は、細長い板状であって、パネル保持用取付部３１に垂直に突出して設けられている。パネル支持部３２は、見切縁材１０と対向する側で天井パネル４の他端４ｂを支持可能に伸びている。天井他端保持部３３は、パネル保持用取付部３１からパネル支持部３２と同じ側に垂直に突出して設けられている。天井他端保持部３３は、パネル支持部３２との間に天井パネル４を挟める間隙をあけて設けられる。天井他端保持部３３は、弾性を有し、挟んだ天井パネル４の他端をパネル支持部３２との間で弾力的に保持可能である。天井他端保持部３３は、天井パネル４を挟み込みやすくするため、先端側３３ａが反り返っている。
【００２２】
木造建築物の壁構造では、見切縁材１０の見切縁用取付部１１が胴縁から成る壁固定部１に釘で固定され、見切縁用取付部１１と壁上端保持部１２との間で壁パネル２の上端２ａが保持されている。パネル取付部材の壁用取付部２１が見切縁材１０の下方で壁固定部１に固定され、壁下端保持部２２が壁パネル２の下端２ｂを保持している。壁パネル２と壁上端保持部１２との間には、間隙５が設けられる。その間隙５の範囲で壁パネル２を上方に移動させて、壁下端保持部２２からその下端２ｂを外すことにより壁パネル２を見切縁材１０およびパネル取付部材から取外し可能となっている。
【００２３】
この壁構造は、壁パネル２が取外し可能に取り付けられるため、建物の壁部分の解体や壁パネル２の交換を容易にすることができる。
【００２４】
木造建築物の天井構造では、見切縁材１０の見切縁用取付部１１が壁固定部１に釘で固定され、見切縁用取付部１１と壁上端保持部１２との間で壁パネル２の上端２ａが保持されている。壁上端保持部１２と天井一端保持部１３との間で天井パネル４の一端４ａが弾力的に保持されている。天井パネル保持部材３０のパネル保持用取付部３１が見切縁材１０と対向して垂木３に固定され、パネル支持部３２が見切縁材１０と対向する側で天井パネル４の他端４ｂを支持している。パネル支持部３２と天井他端保持部３３との間で天井パネル４の他端４ｂが弾力的に保持されている。
【００２５】
この天井構造は、見切縁材１０および天井パネル保持部材３０により天井パネル４が弾力的に保持されるため、ずれにくくかつ取外しが容易である。また、天井パネル４が取外し可能に取り付けられるため、建物の軒部分の解体や天井パネル４の交換を容易にすることができる。
【００２６】
【発明の効果】
本発明に係る見切縁材、壁構造および天井構造によれば、建物の解体および天井パネルや壁パネルの取付け、交換を容易にすることができる。
【図面の簡単な説明】
【図１】本発明の実施の形態の壁構造および天井構造の一方側を示す断面図である。
【図２】図１の天井構造の他方側を示す断面図である。
【符号の説明】
１  壁固定部
２  壁パネル
３  垂木
４  天井パネル
１０  見切縁材
１１  見切縁用取付部
１２  壁上端保持部
１３  天井一端保持部
２０  壁パネル取付部材
２１  壁用取付部
２２  壁下端保持部
３０  天井パネル保持部材
３１  パネル保持用取付部
３２  パネル支持部
３３  天井他端保持部
【図１】
0004266455.tif 000002
【図２】
0004266455.tif 000003